(57)【要約】      （修正有）【課題】隙間からの外気吸入と呼吸漏れの完全遮断を実現する衛生マスク用フェイスカバーを提供する。【解決手段】衛生マスク２の中に装着する低硬度シリコーン素材の衛生マスク用フェイスカバーであって、中央部に開口６を有し、鼻及び口の周辺を低硬度シリコーンで囲み、顔面に密着する。素材の低硬度シリコーンは可撓性・自己密着性に加え肌に無害かつ無臭であり熱にも強く、石鹸・弱酸性洗剤を用いる事により形状並びに粘着力も維持し清潔性も保つことができる。低硬度シリコーンの特徴を活かし顔面に密着させ、併用する衛生マスクのフイルターと重なる中央開口部のみで呼吸する構造となり、正しい装用と隙間からの外気吸入と呼気漏れの完全遮断を実現する。【選択図】図２
0003231241.tif 000002
【実用新案登録請求の範囲】
【請求項１】
中央部に開口を有して、鼻及び口の周辺を囲んで顔面に密着する低硬度シリコーンよりなる衛生マスク用フェイスカバー。
【請求項２】
外周を薄く襞状に形成したことを特徴とする請求項１に記載の衛生マスク用フェイスカバー。
【請求項３】
中央部の開口部周辺を突出構造とし、衛生マスクとの密着を高める効果を実現することを特徴とする請求項１乃至請求項２に記載の衛生マスク用フェイスカバー。
【請求項４】
中央部の上部内面及び外面を三角形状として鼻の両側面にと右折する鼻ガードを設けたことを特徴とする請求項１に記載する衛生マスク用フェイスカバー。
【請求項５】
鼻及び口の周辺を囲んで顔面に密着する面に襞状の突起を巡らせる形成を特徴とする請求項１に記載の衛生マスク用フェイスカバー。
【考案の詳細な説明】
【技術分野】
【０００１】  本考案は衛生マスクとセットで装用するフェイスカバーに関するものである。
【背景技術】
【０００２】  従来の一般的な一体型衛生マスクでは、装用時に通気フイルターとしてのマスク本体と顔面の間に隙間が生じ、異物の侵入、流出を防止することは出来ない。このような不具合を解決するための提案が従来からなされている。【０００３】  例えば特許文献１に記載のものではマスク本体の上端縁に折り曲げられる非通気性の弾性曲折部にて鼻上部の隙間を塞ぐようにしている。【０００４】  しかしながら、弾性折曲片部では顔面との密着はなく、ずれ易いことから隙間を塞ぐことは出来ず呼気等の流れを防ぐことは出来ない。【０００５】  また特許文献２においてのマスクは湾曲維持体と形状維持体とジェル層の各機能を持ち顔面に密着させる構造としている。【０００６】  上記マスクの問題点は顔面密着の為のジェル層が乾燥により密着しなくなる点。その解決策としてスポイトで水を補充できる機能を付けているが常時水を保持する事も困難であり、常にその環境にいるとは考えにくい。【０００７】    また特許文献３において提案されているマスクは二重構造となり、１枚は通気性の高い不織布を使用しもう１枚を鼻・口を挿入する開口部を有する高伸縮性内側シートとし塑性偏在を設けて隙間を解消する提案となっている。【０００８】上記提案の問題点は外側の一層のみで外気呼吸、排気を目指すが塵埃花粉、ウイルス等は防ぎきれず、更に隙間防止のため上縁中央に帯状の塑性偏在を設けているが、ずれ防止の目的を果たすとは考えにくい。
【先行技術文献】
【特許文献】
【０００９】
【特許文献１】特開２００９−０６６３８２号公報
【００１０】
【特開文献２】
特開２０１１−０４５６６１号公報
【００１１】
【特開文献３】
特開２０１５−００８７６７号公報
【考案の概要】
【考案が解決しようとする課題】
【００１２】    現在普及している衛生マスクは、隙間を塞ぐ為の数々の工夫がされているが、顔の凹凸に密着できず呼気漏れが発生したままであり、性能の高いフイルター効果を活かせない状態にある。本来衛生マスクとは飛沫拡散防止等の隙間からの排気を防ぎ、かつ侵入するウイルス等の隙間からの侵入を防ぐ等、他者防御ばかりでなく自己防御も大変重要である。そこで、より密着性の高い呼気漏れ防止マスクが必要であり、通勤電車や演劇鑑賞等の閉鎖空間での正しい装用が出来る完全呼気漏れ防止マスクの開発が急務である。
【課題を解決するための手段】
【００１３】    本考案は請求項１の内容により従来の一体型衛生マスクではなく、衛生マスクの下につける密着型低硬度シリコーン製の衛生マスク用フェイスカバーを提案し，前述の欠点を解決しようとするものである。更に一例として外周を薄い襞状に形成する、中央開口部の周辺を突出させる、中央上部の鼻の両側面に当接する鼻ガード設ける、本体内側に呼気漏れガード襞を設ける事によりさらにいっそう密着を向上させる。本考案は衛生用マスクが一体型という従来の概念を変革するものである。【００１４】  上述のように本考案は請求項１の内容により低硬度シリコーンの持つ自己密着性、形状復元力により顔の隙間を無くしフェイスカバーの中央開口部に重なる衛生マスクのフイルター部位だけで呼吸をする仕組みとし、それ以外の呼気の流れを完全遮断する期待を達成するものである。【００１５】低硬度シリコーンは１０度以下のシリコーンゴムであり肌には無害無臭、汗や皮脂の汚れも石鹸や弱酸性洗剤で洗うことにより何度でも繰り返し使用することが可能であり形状、粘着性も維持できる。シリコーンは一般普及素材であり廉価大量製造が可能である。なお、硬度１０度を超えた場合には密着性が低下し、本考案の目的を達し得ない。
【図面の簡単な説明】
【００１６】
【図１】図は本考案のフェイスカバーの形態を装着状態において示す模式的正面図である。
【図２】図２は図１の本考案装着図の上に衛生マスクを装用した模式的正面図である。
【図３】図３は図１の本考案装着図の上に衛生マスクを装用した模式的側面図である。
【図４】図４は図１のＡ−Ａ線模式的断面図である。
【図５】図５は図１のＢ―Ｂ線模式的断面図である。
【図６】図６は図１のＣ―Ｃ線模式的断面図である。
【図７】図７は図１のＤ―Ｄ線模式的断面図である。
【図８】図８は図１のＥ―Ｅ  線模式的断面図である。
【図９】図９は本考案の模式的背面図である。斜線部は肌密着部を示す。黒塗線部は呼気漏れガード襞１０を示す。
【図１０】図１０は図９の本考案の斜面模式的背面図である。ドット部分は中央開口部６に繋がる空間ドーム壁部である。黒塗り部は呼気漏れガード襞１０を示す。
【図１１】図１１は本考案の模式的平面図である。
【図１２】図１２は本考案の模式的底面図である。
【考案を実施するための形態】
【００１７】  次に本考案の実施の形態を添付図面参照にて説明する。まず図１ないし図２に示す第１の実施形態において符号１は本考案のフェイスカバーを概して示すもので，全て低硬度シリコーンでの一体成型で作られ、フェイスカバーの上に衛生マスク２を重ねて使用するものである。
【００１８】  図２で示す第１の実施形態においては低硬度シリコーン素材の持つ自己密着性に加え本体の全周囲に設けた同素材で襞（ひだ）を巡らせ更なる密着効果を高める。
【００１９】  図２で示す鼻ガード４は鼻の両側面に当接する構造とし、装着段階図２で示す顎部８とともに圧着し、装着者の顔面に密着させる。同時に外周襞（ひだ）も圧着させ衛生マスクを本体の上に重ねて図２の装着図となる。
【００２０】  図３に示す第１の実施形態においてフェイスカバー本体を装着した上に衛生マスク２装着の模式的側面図である。中央開口部上部点ａと中央開口部下部点ｂから、等しい長さで交わる点を符号ｃとすると中央開口部上部点ａと交わる点ｃの長さと中央開口部下部点ｂから交わる点ｃの長さは等しく張力も等しくなるが、本来の耳掛紐の位置は耳の上部ｄと耳の下部ｅになり双方の長さは異なる。そのため中央開口部下部ｂを多く突出させ張力の不一致を解消し、密着度を高め呼気漏れを防ぐ効果を期待できる。
【００２１】  図４に示す第１の実施形態においては中央開口部６のＡ−Ａ断面図に示す通り中央開口部突出部先端全周９を尖らせる事により素材の可撓性を活かし衛生マスク２との密着力を高める効果を期待できる。
【００２２】  図５ないし図６に示す第１の実施形態においては上述で示す通り中央開口部突出部全周９に角度を持たせている断面図である。
【００２３】図９は模式的背面図である。斜線部分は肌に密着する部分を示す。
黒太線部は呼気漏れガード襞１０を示す。
【００２４】    本体各部断面図で示す通り厚さに差異を持たせ中央開口部周辺を厚くし空間ドームの形状を維持し、呼吸のし易い構造とする。
【００２５】  図１０は模式的背面図の右斜面図である。点で示す部分は中央開口部に繋がる空間ドーム壁を示し、黒太線は呼気漏れガード襞１０を示し外周襞５と併せて呼気漏れを防ぐ構造とする。
【実施例】
【００２６】  以下添付図に従って実施例を説明する。図２は本考案の衛生マスク２と合わせた装着正面図である。当考案は完全呼気漏れ遮断効果を期待でき、通勤電車・映画・劇場鑑賞・会議・スポーツ観戦等に最適アイテムとなる。本体は衛生マスクの下に隠れる為、色・形は自由に選ぶことができる。【００２７】    装用した衛生マスクの口部にフェイスマスクカバーの中央開口部突出部９の形が露わになった状態が正しい装着のサインとなる。【００２８】  低硬度シリコーンは食品・医療・製造業界等全ての業界に普及している。同素材は肌に無害・無臭・自己密着性・可撓性が高く顔の形状の違いにもフィットし、石鹸・弱酸性洗剤で洗う事により粘着性や形状を維持でき世界中に普及している素材である為、廉価で大量生産が可能となる。
【符号の説明】  １    フェイスカバー本体
２    衛生マスク本体
３    装用者
４    鼻ガード
５    外周襞（ひだ）
６    中央開口部
７    頬ガード
８    顎部
９    中央開口部突出部
１０    呼気漏れガード襞（ひだ）
【図１】
0003231241.tif 000003
【図２】
0003231241.tif 000004
【図３】
0003231241.tif 000005
【図４】
0003231241.tif 000006
【図５】
0003231241.tif 000007
【図６】
0003231241.tif 000008
【図７】
0003231241.tif 000009
【図８】
0003231241.tif 000010
【図９】
0003231241.tif 000011
【図１０】
0003231241.tif 000012
【図１１】
0003231241.tif 000013
【図１２】
0003231241.tif 000014
【手続補正書】
【提出日】令和2年12月17日(2020.12.17)
【手続補正１】
【補正対象書類名】実用新案登録請求の範囲
【補正対象項目名】全文
【補正方法】変更
【補正の内容】
【実用新案登録請求の範囲】
【請求項１】
中央部に開口を有して、鼻及び口の周辺を囲んで顔面に密着する低硬度シリコーンよりなる衛生マスク用フェイスカバー。
【請求項２】
外周を薄く襞状に形成したことを特徴とする請求項１に記載の衛生マスク用フェイスカバー。
【請求項３】
中央部の開口部周辺を突出構造とすることを特徴とする請求項１乃至請求項２に記載の衛生マスク用フェイスカバー。
【請求項４】
中央部の上部内面及び外面を三角形状として鼻の両側面にと右折する鼻ガードを設けたことを特徴とする請求項１に記載する衛生マスク用フェイスカバー。
【請求項５】
鼻及び口の周辺を囲んで顔面に密着する面に襞状の突起を巡らせる形成を特徴とする請求項１に記載の衛生マスク用フェイスカバー。